(57)【要約】  レンダリング装置（１１０）、アクセス装置（１２０）及び記憶装置（１３０）を有するネットワーク（１００）におけるライブコンテンツと記録コンテンツとの区別。レンダリング装置は、ネットワークの装置にそれらがコンテンツを配信する場合に応答するよう要求するメッセージ（１１５）を配信し（３０２）、タイマーを設定する。上記装置は、それらがコンテンツを配信する場合に応答する（３１０）。その後、レンダリング装置は、それがアクセス装置から応答を受信した場合にはコンテンツがライブであり（３０７）、それがアクセス装置でなく記憶装置から応答を受信した場合には記録であり（３０６）、それがタイマーのタイムアウト前に応答を受信しなかった場合には不正である（３０５）と判断する。コンテンツの配信後にさらに“さらなるライブ遅延”（１５０）があり、その間にアクセス装置は、それがコンテンツを配信していることを応答し、その後にリクエストメッセージに応答するコンテンツリリースメッセージ（１１７）を記憶装置に送信してもよい。
2008529432.tif 000002
【特許請求の範囲】
【請求項１】
アクセス装置と記憶装置とをさらに有するデジタルネットワークにおける装置であって、
前記アクセス装置と前記記憶装置がコンテンツを配信している場合に応答するよう要求するメッセージを配信し、応答を受信すると、該応答が前記アクセス装置から送信されたものである場合、前記コンテンツがライブであると判断するよう構成されるプロセッサを有する装置。
【請求項２】
前記プロセッサはさらに、前記記憶装置のみから応答を受信した場合、前記コンテンツが記録コンテンツであると判断するよう構成される、請求項１記載の装置。
【請求項３】
前記プロセッサはさらに、前記コンテンツがライブ又は記録されたものであるか判断する前に、前記応答の受信後に所定の時間待機するよう構成される、請求項２記載の装置。
【請求項４】
前記プロセッサはさらに、前記メッセージを配信した後にタイマーを設定し、該タイマーがタイムアウトする前に応答が受信されない場合、前記コンテンツのレンダリングを拒絶するよう構成される、請求項１記載の装置。
【請求項５】
レンダリング装置、アクセス装置及び記憶装置を有するデジタルネットワークにおいてライブコンテンツと記録コンテンツとを区別する方法であって、
前記レンダリング装置によって、前記レンダリング装置と前記アクセス装置とがコンテンツを配信する場合に応答するよう前記レンダリング装置と前記アクセス装置とに要求するメッセージを配信するステップと、
前記アクセス装置によって、前記アクセス装置が前記コンテンツを配信する場合に応答するステップと、
前記記憶装置によって、前記記憶装置が前記コンテンツを配信する場合に応答するステップと、
前記レンダリング装置によって、前記レンダリング装置が前記アクセス装置から応答を受信した場合、前記コンテンツがライブであると判断し、前記レンダリング装置が前記アクセス装置からでなく前記記憶装置から応答を受信した場合、前記コンテンツが記録されたものであると判断し、前記レンダリング装置が応答を受信しなかった場合、前記コンテンツは不正であると判断するステップと、
を有する方法。
【請求項６】
当該方法は、前記レンダリング装置においてタイマーを設定するステップを有し、
前記判断するステップは、前記コンテンツが不正であると判断する前に、前記タイマーのタイムアウトを待機するステップを有する、請求項５記載の方法。
【請求項７】
前記記憶装置は、前記記憶装置がまた前記コンテンツを記録している場合は応答しない、請求項５記載の方法。
【請求項８】
前記コンテンツの配信後、リクエストメッセージを受信すると前記アクセス装置が、まだ前記コンテンツを配信しているかのように応答する期間がある、請求項５記載の方法。
【請求項９】
前記コンテンツの配信後であって、その後に前記アクセス装置がコンテンツリリースメッセージを前記記憶装置に送信する期間があり、
前記記憶装置は、前記コンテンツリリースメッセージを受信するまでは前記レンダリング装置からのリクエストメッセージに応答しない、請求項５記載の方法。
【請求項１０】
レンダリング装置、アクセス装置及び記憶装置を有するシステムであって、
前記レンダリング装置は、当該システムの他の装置に、該装置がコンテンツを配信する場合に応答するよう要求するメッセージを配信し、前記レンダリング装置が前記アクセス装置から応答を受信した場合、前記コンテンツがライブであると判断し、前記レンダリング装置が前記アクセス装置からでなく前記記憶装置から応答を受信した場合、前記コンテンツが記録されたものであると判断し、前記レンダリング装置が応答を受信しなかった場合、前記コンテンツは不正であると判断するよう構成され、
前記アクセス装置と前記記憶装置とは、前記コンテンツを配信する場合、互いに独立に応答するよう構成されるシステム。
【請求項１１】
前記レンダリング装置はさらに、タイマーを設定し、前記コンテンツが不正であると判断する前に前記タイマーのタイムアウトを待機するよう構成される、請求項１０記載のシステム。
【請求項１２】
前記記憶装置は、該記憶装置がまた前記コンテンツを記録している場合には応答しないよう構成される、請求項１０記載のシステム。
【請求項１３】
前記アクセス装置は、前記コンテンツの配信後の期間に、リクエストメッセージを受信すると前記アクセス装置が、まだ前記コンテンツを配信しているかのように応答するよう構成される、請求項１０記載のシステム。
【請求項１４】
前記コンテンツの配信後の期間であって、その後に前記アクセス装置がコンテンツリリースメッセージを前記記憶装置に送信する期間があり、
前記記憶装置は、前記アクセス装置から前記コンテンツリリースメッセージを受信するまでは前記レンダリング装置からのリクエストメッセージに応答しないよう構成される、請求項１０記載のシステム。
【請求項１５】
レンダリング装置をさらに有するデジタルネットワークにおいて使用されるアクセス装置であって、
前記レンダリング装置から、当該アクセス装置がコンテンツを配信する場合に応答を要求するメッセージを受信し、当該アクセス装置が前記コンテンツを配信する場合に応答するよう構成されるプロセッサを有するアクセス装置。
【請求項１６】
前記プロセッサは、前記コンテンツの配信後の期間において、前記リクエストメッセージを受信すると、まだ前記コンテンツを配信しているかのように応答するよう構成される、請求項１５記載のアクセス装置。
【請求項１７】
前記ネットワークはさらに記憶装置を有し、
前記プロセッサは、前記コンテンツの配信後の期間の後、前記記憶装置にコンテンツリリースメッセージを送信するよう構成される、請求項１５記載のアクセス装置。
【請求項１８】
レンダリング装置をさらに有するデジタルネットワークにおける記憶装置であって、
前記レンダリング装置から、当該記憶装置がコンテンツを配信している場合に応答を要求するメッセージを受信し、当該記憶装置が前記コンテンツを配信している場合に応答するよう構成されるプロセッサを有する記憶装置。
【請求項１９】
前記プロセッサは、当該記憶装置がまた前記コンテンツを記録している場合には応答しないよう構成される、請求項１８記載の記憶装置。
【請求項２０】
前記ネットワークはさらにアクセス装置を有し、
前記プロセッサは、コンテンツリリースメッセージの受信後まで、前記レンダリング装置からのリクエストメッセージに応答しないよう構成される、請求項１８記載の記憶装置。
【発明の詳細な説明】
【技術分野】
【０００１】
本発明は、一般にデジタルメディアシステムに関し、より詳細には、デジタルホームネットワークにおけるコピープロテクションに関する。
【背景技術】
【０００２】
デジタルメディアシステムでは、ライブコンテンツと記録コンテンツとを区別することができることがときに有用である。このための一例となる理由は、例えば、Ｄｉｇｉｔａｌ  Ｖｉｄｅｏ  Ｂｒｏａｄｃａｓｔ  Ｃｏｐｙ  Ｐｒｏｔｅｃｔｉｏｎ（ＤＶＢ）  Ｇｒｏｕｐにより規定された要件では、近接コントロール（ｐｒｏｘｉｍｉｔｙ  ｃｏｎｔｒｏｌ）はコンテンツには適用されないが、ある所定の条件が満たされるときは緩和される。第１の可能な条件は、近接コントロールが、それがもはやライブコンテンツでなくなるとすぐに緩和されるというものである。第２の可能な条件は、それがライブ配信後一定期間経過後に緩和されるというものである。第３の可能な条件は、それが固定された日に緩和されるというものである。しかしながら、第１及び第３条件は、第２条件のテーマに対する変形とみることができるということが理解できる。すなわち、第１条件についてはこの一定の時間はゼロであり、何れかの時間までに、それは第３条件についての日に到達していなければならない。他の一例となる条件は条件的なものであり、近接コントロールは、例えば、ユーザがコンテンツにアクセスするのに追加的な支払をしている場合、又はあるコンテンツが配信されるとすぐに、当該ユーザについて緩和されるかもしれない。
【０００３】
ホームネットワーク内においてライブコンテンツと記録コンテンツとを区別する１つの方法は、レンダリング装置にそれが受信しているコンテンツが記憶装置からのものであるか（記録コンテンツ）、又はそれがホームネットワークに入ったときにコンテンツがわたされる装置であるアクセス装置からのものであるか（ライブコンテンツ）決定させるというものである。
【０００４】
しかしながら、記憶装置が短時間の遅延の後にライブコンテンツを再生するなど、いわゆるトリックモードを使用しているとき、問題が生ずる可能性がある。この場合、レンダリング装置は、コンテンツが記録されていると信じるようになるが、少なくともアクセス装置がコンテンツを配信している間はライブコンテンツとみなされるべきである。この場合、トリックモードは、近接コントロールについての容易な回避である。ユーザは、コントロールを回避するため、５秒間の遅延によりコンテンツを視聴しさえすればよい。
【０００５】
従って、トリックモードが利用されるときを含むライブコンテンツと記録コンテンツとをレンダリング装置が区別することを可能にする手段が必要とされることが理解できる。本発明は、そのような手段を提供する。
【０００６】
第１の特徴では、本発明は、アクセス装置と記憶装置とをさらに有するデジタルネットワークにおける装置に関する。当該装置は、コンテンツを配信する装置に応答するよう要求するメッセージを配信し、応答を受信すると、該応答がアクセス装置から送信されたものである場合には、コンテンツがライブコンテンツであると判断するよう構成されるプロセッサを有する。
【０００７】
好適な実施例では、プロセッサはさらに、それが記憶装置のみから応答を受信した場合、コンテンツが記録コンテンツであると判断するようさらに構成される。
【０００８】
さらに効果的には、プロセッサは、コンテンツがライブコンテンツ又は記録コンテンツであるか判断する前に、応答の受信後に所定の時間待機する。このように、アクセス装置と記憶装置の両方が応答する場合、プロセッサは、記憶装置からの応答がまず到着する場合に早急な判断をしない。
【０００９】
他の好適な実施例では、プロセッサはさらに、メッセージを配信した後、タイマーを設定し、タイマーがタイムアウトする前に応答が受信されない場合にはコンテンツのレンダリングを拒絶するよう構成される。
【００１０】
第２の特徴では、本発明は、レンダリング装置、アクセス装置及び記憶装置を有するデジタルネットワークにおいてライブコンテンツと記録コンテンツとを区別する方法に関する。レンダリング装置は、ネットワークの他の装置にそれらがコンテンツを配信する場合に応答するよう要求するメッセージを配信する。アクセス装置は、記憶装置と同様に、それがコンテンツを配信する場合に応答する。レンダリング装置は、それがアクセス装置から応答を受信した場合にコンテンツがライブであり、それがアクセス装置でなく記憶装置から応答を受信した場合にコンテンツが記録であり、それが応答を受信しなかった場合に不正であると判断する。
【００１１】
第１の好適な実施例では、レンダリング装置はタイマーを設定し、コンテンツが不正であると判断する前にタイマーのタイムアウトを待機する。
【００１２】
第２の好適な実施例では、記憶装置は、それがまたコンテンツを記録している場合には応答しない。
【００１３】
第３の好適な実施例では、コンテンツの配信後に、リクエストメッセージを受信すると、あたかもそれがコンテンツをまだ配信しているかのようにアクセス装置が応答する期間がある。
【００１４】
第４の好適な実施例では、コンテンツの配信後の期間であって、当該期間後にアクセス装置が記憶装置にコンテンツリリースメッセージを送信する期間がある。記憶装置は、それがコンテンツリリースメッセージを受信するまで、レンダリング装置からのリクエストメッセージに応答しない。
【００１５】
第３の特徴では、本発明は、レンダリング装置、アクセス装置及び記憶装置を有するシステムに関する。レンダリング装置は、システムの他の装置にそれらがコンテンツを配信する場合に応答するよう要求するメッセージを配信し、それがアクセス装置から応答を受信した場合にはコンテンツはライブであり、それがアクセス装置でなく記憶装置から応答を受信した場合には記録されたものであり、それが応答を受信しなかった場合に不正である判断するよう構成される。アクセス装置と記憶装置とは、それらがコンテンツを配信する場合、互いに独立に応答するよう構成される。
【００１６】
第１の好適な実施例では、レンダリング装置はさらに、タイマーを設定し、コンテンツが不正であると判断するまでタイマーのタイムアウトを待機するよう構成される。
【００１７】
第２の好適な実施例では、記憶装置は、それがまたコンテンツを記録している場合に応答しないよう構成される。
【００１８】
第３の好適な実施例では、アクセス装置は、コンテンツの配信後の期間に、リクエストメッセージを受信すると、それがまだコンテンツを配信しているかのように応答するよう構成される。
【００１９】
第４の好適な実施例では、コンテンツの配信後の期間があり、当該期間の後にアクセス装置が、コンテンツリリースメッセージを受信するまでレンダリング装置からリクエストメッセージに応答しないよう構成されるコンテンツリリースメッセージを記憶装置に送信する。
【００２０】
第４の特徴では、本発明は、レンダリング装置をさらに有するデジタルネットワークにおいて使用するためのアクセス装置に関する。アクセス装置は、レンダリング装置から、アクセス装置がコンテンツを配信する場合に応答を要求するメッセージを受信し、それがコンテンツを配信する場合に応答するよう構成されるプロセッサを有する。
【００２１】
第１の好適な実施例は、プロセッサは、コンテンツ配信後の期間に、リクエストメッセージを受信すると、アクセス装置がまだコンテンツを配信しているかのように応答するよう構成される。
【００２２】
第２の好適な実施例では、ネットワークはさらに記憶装置を有し、プロセッサは、コンテンツの配信後の期間の後に、コンテンツリリースメッセージを記憶装置に送信するよう構成される。
【００２３】
第５の特徴では、本発明は、レンダリング装置をさらに有するデジタルネットワークにおける記憶装置に関する。記憶装置は、レンダリング装置から、記憶装置がコンテンツを配信する場合にレスポンスを要求するメッセージを受信し、記憶装置がコンテンツを配信する場合に応答するよう構成されるプロセッサを有する。
【００２４】
第１の好適な実施例では、プロセッサは、記憶装置がまたコンテンツを記録している場合に応答しないよう構成される。
【００２５】
第２の好適な実施例では、ネットワークはさらに、アクセス装置を有し、プロセッサは、それがコンテンツリリースメッセージを受信するまでレンダリング装置からのリクエストメッセージに応答しないよう構成される。
［発明の好適な実施例］
図１は、本発明が利用される、効果的にはユーザの自宅において使用するための一例となるデジタルネットワーク１００（システムとも呼ばれる）を示す。ネットワーク１００は、レンダリング装置１１０、アクセス装置（ＡＤ）１２０及び記憶装置（ＳＤ）１３０を有し、それらは一例となる接続１４０に接続されている。レンダリング装置１１０は、以下で詳述されるように、メッセージを送信し、ライブコンテンツと記録コンテンツとを区別するよう構成されるプロセッサ１１１を有する。アクセス装置１２０と記憶装置は共に、メッセージを送受信するプロセッサ１２１と１３１とを有する。やや簡略化すると、ネットワーク１００は通常は以下のように動作する。すなわち、アクセス装置１２０が、接続１０５を介しデジタルコンテンツＣＮＴを受信し、それがユーザに利用可能とされた場合、当該コンテンツを記憶装置１３０とレンダリング装置１１０に配信する。
【００２６】
システムが“トリックモード”で使用されているとき、すなわち、ライブコンテンツが記録され、典型的には、数秒から数分までの範囲の短時間の遅延後に記憶装置１３０からレンダリング装置１１０に記録及び配信される。
【００２７】
図２ａ〜２ｈ（図２と総称される）は、本発明の実施例による各種シナリオのメッセージを示す。ライブコンテンツと記録コンテンツとを区別するため、レンダリング装置１１０のプロセッサ１１１は、一例によるネットワーク１００において、アクセス装置１２０と記憶装置１３０のプロセッサ１２１と１３１によって受信されるメッセージをまず配信する。メッセージ１１５は、コンテンツ識別子（ＣＩＤ）によってメッセージ１１５において参照されるコンテンツを配信する場合、受信者が応答することを要求する。ＣＩＤは、コンテンツを受信すると、アクセス装置１２０のプロセッサ１２１によりランダムに抽出される。例えば、ＳｍａｒｔＲｉｇｈｔＴＭでは、ＣＩＤは８バイト数であり、このため、２つの異なるコンテンツが同じ数を共有する確率は、大変低いものとなる。
【００２８】
本発明の実施例によると、アクセス装置１２０がコンテンツを配信する場合、それのプロセッサ１２１は、コンテンツが視聴専用である場合には、好ましくは、ＷＯ０２／４７３５６“Ｍｅｔｈｏｄ  Ｏｆ  Ｓｅｃｕｒｅ  Ｔｒａｎｓｍｉｓｓｉｏｎ  Ｏｆ  Ｄｉｇｉｔａｌ  Ｄａｔａ  Ｆｒｏｍ  Ａ    Ｓｏｕｒｃｅ  Ｔｏ  Ａ  Ｒｅｃｅｉｖｅｒ”に記載されている標準的な視聴専用プロトコルを利用して、またコンテンツが私的複製コンテンツである場合には、視聴専用プロトコルのＭｅｓｓａｇｅ  Ａｕｔｈｅｎｔｉｃａｔｉｏｎ  Ｃｏｄｅ（ＭＡＣ）パートを利用して、メッセージ１１６に応答する（図２ａ）。記憶装置１３０のプロセッサ１３１は、記憶装置がコンテンツを配信するが（図２ｂ）、それがコンテンツを記録及び配信しない場合（図２ｃ）、好ましくは、ＷＯ０３／０８８６１２“Ｍｅｔｈｏｄ  Ｆｏｒ  Ｔｈｅ  Ａｎｏｎｙｍｏｕｓ  Ａｕｔｈｅｎｔｉｃａｔｉｏｎ  Ｏｆ  Ａ  Ｄａｔａ  Ｔｒａｎｓｍｉｔｔｅｒ”に記載されるソース認証プロトコルを使用して応答する。
【００２９】
このため、レスポンスがアクセス装置１２０からのものである場合、コンテンツはライブであり、レスポンスが記憶装置１３０からのものである場合、コンテンツは記録コンテンツであり、しかしながら、レンダリング装置１１０がリプライを受信しなかった場合、コンテンツは不正なものであり、レンダリングされない（図２ｄ）。レンダリング装置１１０のプロセッサ１１１が、それがリプライを全く受信しないときはコンテンツが不正なものであると推測する場合、好ましくは、レスポンスがなかったと確信すべきである。これは、コンテンツが不正なものであると結論付ける前に、所定の時間待機することによって実現することが可能である。一例として、ファイアウォールネットワークの典型的なタイムアウト値は３秒間である。他の可能性は、レンダリング装置１１０のプロセッサ１１１がある数のリクエストメッセージ１１５を送信し、コンテンツが不正であると結論付ける前にレスポンス（又はレスポンスがないこと）を待機すべきであるということである。
【００３０】
テーブル１は、上記４つの可能性を要約している。
【００３１】
【表１】
2008529432.tif 000003
図２ｅは、トリックモードにより送信されるメッセージを示す。図で確認できるように、記憶装置１３０は、アクセスユニット１２０がコンテンツを配信している間に記録を行う。まず、記憶装置１３０がまたコンテンツを配信し、その後、しばらくポーズし、その後に配信を再開する。図の左側に示されるように、アクセス装置１２０のみが配信中にメッセージ１１６に応答し、記憶装置１３０は、アクセス装置１２０の配信が終了するとメッセージ１１６に応答する。
【００３２】
本発明のさらなる実施例によると、アクセス装置１２０のプロセッサ１２１は、コンテンツ配信終了後、“さらなるライブ遅延”１５０の所定の期間に応答し続ける（図２ｆ）。これは、コンテンツが当該期間中はライブとしてみなされ、このため、ライブコンテンツ使用ルールが適用されることを意味する。“さらなるライブ遅延”１５０は、必ずしも期間に対応している必要はなく、ユーザがコンテンツにアクセスするために料金を支払っている場合など、上述されるような少なくとも他の１つの条件を充足して終了するかもしれない。これらのケースでは、上述されるレスポンスパターンの第４の代替が存在する。すなわち、コンテンツがまた続く遅延１５０の間に記憶装置１３０により配信されるとき、記憶装置１３０とアクセス装置１２０のプロセッサ１２１と１３１の両方が応答し、それは、コンテンツがライブであると解釈されるべきである（図２ｇ）。これにより、アクセス装置１２０は、それがさらなるライブ遅延１５０の間にコンテンツを配信することを考える。第４の代替が可能であるとき、プロセッサ１１１は、それが受信した第１レスポンス１１６が記憶装置１３０からのものである場合、所定の時間待機することが好ましい。このようにして、プロセッサ１１１は、アクセス装置１２０からのレスポンスの到着前にコンテンツが記録されると誤って結論付けないであろう。これらの可能性がテーブル２に要約されている。
【００３３】
【表２】
2008529432.tif 000004
しかしながら、さらなる実施例が上述されるように実現される場合、プロテクション部分を回避することが可能である。アクセス装置１２０との間のメッセージがブロックされる場合、又はアクセス装置１２０がスイッチオフされる場合、それのプロセッサ１２１は応答せず、記憶装置１３０からコンテンツにアクセスする可能性を未確定にする。これはライブ配信の終了前とさらなるライブ遅延中の両方に適用されることに留意すべきである（記録コンテンツのみにアクセスすることによって）。
【００３４】
このため、記憶装置１３０のプロセッサ１３１は、図２ｈに示されるように、それがアクセス装置１２０からコンテンツリリースメッセージ１１７を受信するまで、又は可能な拡張として、所定の時間が経過するまで、レンダリング装置１１０からのリクエストメッセージ１１５に応答しないことが好ましい。記憶装置が他の記憶装置によって提供されるコンテンツを記録する場合、記録を行う記憶装置は、それがコンテンツリリースメッセージ１１７を、アクセス装置１２０から直接的に又は提供する記憶装置から転送されて受信するまで、リクエストメッセージ１１５に応答しない。
【００３５】
図３は、本発明の好適な実施例による方法のフローチャートを示す。ステップ３０１において、レンダリング装置１１０は、専用のＣＩＤを有するコンテンツを受信する。その後、レンダリング装置１１０のプロセッサ１１１は、ステップ３０２においてリクエストメッセージ１１５を配信し、ステップ３０３においてタイマー（必ずしも高い精度は必要でないため、比較的安価なタイマーが利用可能である）を設定し、イベントを待機する。適用可能である場合、これらの装置のプロセッサがその後ステップ３１０において応答する。ステップ３０４においてイベントがタイムアウトになった場合、プロセッサ１１１は、コンテンツが不正であり（ステップ３０５）、コンテンツ（図示せず）のレンダリングを拒否することを決定する。イベントがプロセッサ１１１による記憶装置１３０からのメッセージ１１６の受信である場合、プロセッサ１１１は、コンテンツが記録されていると結論付ける（ステップ３０６）。イベントが、プロセッサによるアクセス装置１１０からのメッセージの受信である場合、プロセッサ１１１は、コンテンツがライブであると結論付ける（ステップ３０７）。
【００３６】
従って、本発明は、アクセス装置と記憶装置とを有するデジタルホームネットワークのレンダリング装置がライブコンテンツと記録コンテンツとを区別するための方法を提供するということが理解できる。
【００３７】
本発明は、純粋に例示的に説明されたものであり、本発明の範囲から逸脱することなく詳細の改良が可能であるということが理解される。
【００３８】
また、１つの物理装置が上述された複数の装置の機能を備えることが可能であるということも理解される。例えば、アクセス装置と記憶装置とがある装置に共存するようにしてもよい。このような場合、“アクセス装置”は、多機能装置などのアクセス装置の各機能を処理する部分を表す。一部のケースでは、可能な場合には、アクセス装置と記憶装置との機能を合成する装置が、２回リプライすることはなく、１回の関連するリプライのみを与えるなど、簡略化が可能であるかもしれない。
【００３９】
上記説明並びに請求項及び図面（必要な場合）に開示される各特徴は、独立に又は何れか適当な組み合わせにより提供されるかもしれない。ハードウェアにより実現されるように記載される特徴はまた、ソフトウェアにより実現されてもよく、その反対も可能である。適用可能である場合、接続は必ずしも直接的又は専用の接続である必要はないが、無線又は有線接続として実現されてもよい。
【００４０】
請求項の参照番号は、単なる例示であり、請求項の範囲に限定的な効果をもたらすものではない。
【図面の簡単な説明】
【００４１】
【図１】図１は、本発明が利用される一例となるデジタルネットワークを示す。
【図２ａ】図２ａは、本発明の実施例による各種シナリオのメッセージフローを示す。
【図２ｂ】図２ｂは、本発明の実施例による各種シナリオのメッセージフローを示す。
【図２ｃ】図２ｃは、本発明の実施例による各種シナリオのメッセージフローを示す。
【図２ｄ】図２ｄは、本発明の実施例による各種シナリオのメッセージフローを示す。
【図２ｅ】図２ｅは、本発明の実施例による各種シナリオのメッセージフローを示す。
【図２ｆ】図２ｆは、本発明の実施例による各種シナリオのメッセージフローを示す。
【図２ｇ】図２ｇは、本発明の実施例による各種シナリオのメッセージフローを示す。
【図２ｈ】図２ｈは、本発明の実施例による各種シナリオのメッセージフローを示す。
【図３】図３は、本発明の好適な実施例による方法のフローチャートを示す。
【図１】
2008529432.tif 000005
【図２ａ】
2008529432.tif 000006
【図２ｂ】
2008529432.tif 000007
【図２ｃ】
2008529432.tif 000008
【図２ｄ】
2008529432.tif 000009
【図２ｅ】
2008529432.tif 000010
【図２ｆ】
2008529432.tif 000011
【図２ｇ】
2008529432.tif 000012
【図２ｈ】
2008529432.tif 000013
【図３】
2008529432.tif 000014
【手続補正書】
【提出日】平成19年8月3日(2007.8.3)
【手続補正１】
【補正対象書類名】特許請求の範囲
【補正対象項目名】全文
【補正方法】変更
【補正の内容】
【特許請求の範囲】
【請求項１】
アクセス装置と記憶装置とをさらに有するデジタルネットワークにおけるレンダリング装置であって、
前記アクセス装置と前記記憶装置がコンテンツを配信している場合に応答するよう要求するメッセージを配信し、応答を受信すると、該応答が前記アクセス装置から送信されたものである場合、前記コンテンツがライブであると判断するよう構成されるプロセッサを有する装置。
【請求項２】
前記プロセッサはさらに、前記記憶装置のみから応答を受信した場合、前記コンテンツが記録コンテンツであると判断するよう構成される、請求項１記載のレンダリング装置。
【請求項３】
前記プロセッサはさらに、前記コンテンツがライブ又は記録されたものであるか判断する前に、前記応答の受信後に所定の時間待機するよう構成される、請求項２記載のレンダリング装置。
【請求項４】
前記プロセッサはさらに、前記メッセージを配信した後にタイマーを設定し、該タイマーがタイムアウトする前に応答が受信されない場合、前記コンテンツのレンダリングを拒絶するよう構成される、請求項１記載のレンダリング装置。
【請求項５】
レンダリング装置、アクセス装置及び記憶装置を有するデジタルネットワークにおいてライブコンテンツと記録コンテンツとを区別する方法であって、
前記レンダリング装置によって、前記レンダリング装置と前記アクセス装置とがコンテンツを配信する場合に応答するよう前記レンダリング装置と前記アクセス装置とに要求するメッセージを配信するステップと、
前記アクセス装置によって、前記アクセス装置が前記コンテンツを配信する場合に応答するステップと、
前記記憶装置によって、前記記憶装置が前記コンテンツを配信する場合に応答するステップと、
前記レンダリング装置によって、前記レンダリング装置が前記アクセス装置から応答を受信した場合、前記コンテンツがライブであると判断するステップと、
を有する方法。
【請求項６】
前記判断するステップはさらに、前記レンダリング装置が前記アクセス装置からでなく前記記憶装置から応答を受信した場合、前記コンテンツが記録されたものであると判断するステップを有する、請求項５記載の方法。
【請求項７】
前記記憶装置は、前記記憶装置がまた前記コンテンツを記録している場合は応答しない、請求項５記載の方法。
【請求項８】
前記コンテンツの配信後、リクエストメッセージを受信すると前記アクセス装置が、まだ前記コンテンツを配信しているかのように応答する期間がある、請求項５記載の方法。
【請求項９】
前記コンテンツの配信後であって、その後に前記アクセス装置がコンテンツリリースメッセージを前記記憶装置に送信する期間があり、
前記記憶装置は、前記コンテンツリリースメッセージを受信するまでは前記レンダリング装置からのリクエストメッセージに応答しない、請求項５記載の方法。
【請求項１０】
レンダリング装置、アクセス装置及び記憶装置を有するシステムであって、
前記レンダリング装置は、当該システムの他の装置に、該装置がコンテンツを配信する場合に応答するよう要求するメッセージを配信し、前記レンダリング装置が前記アクセス装置から応答を受信した場合、前記コンテンツがライブであると判断するよう構成され、
前記アクセス装置と前記記憶装置とは、前記コンテンツを配信する場合、互いに独立に応答するよう構成されるシステム。
【請求項１１】
前記レンダリング装置はさらに、前記レンダリング装置が前記レンダリング装置からでなく前記記憶装置から応答を受信した場合、前記コンテンツが記録されたものであると判断するよう構成される、請求項１０記載のシステム。
【請求項１２】
前記記憶装置は、該記憶装置がまた前記コンテンツを記録している場合には応答しないよう構成される、請求項１０記載のシステム。
【請求項１３】
前記アクセス装置は、前記コンテンツの配信後の期間に、リクエストメッセージを受信すると前記アクセス装置が、まだ前記コンテンツを配信しているかのように応答するよう構成される、請求項１０記載のシステム。
【請求項１４】
前記コンテンツの配信後の期間であって、その後に前記アクセス装置がコンテンツリリースメッセージを前記記憶装置に送信する期間があり、
前記記憶装置は、前記アクセス装置から前記コンテンツリリースメッセージを受信するまでは前記レンダリング装置からのリクエストメッセージに応答しないよう構成される、請求項１０記載のシステム。
【請求項１５】
レンダリング装置をさらに有するデジタルネットワークにおいて使用されるアクセス装置であって、
前記レンダリング装置から、当該アクセス装置がコンテンツを配信する場合に応答を要求するメッセージを受信し、当該アクセス装置が前記コンテンツを配信する場合に応答するよう構成されるプロセッサを有するアクセス装置。
【請求項１６】
前記プロセッサは、前記コンテンツの配信後の期間において、前記リクエストメッセージを受信すると、まだ前記コンテンツを配信しているかのように応答するよう構成される、請求項１５記載のアクセス装置。
【請求項１７】
前記ネットワークはさらに記憶装置を有し、
前記プロセッサは、前記コンテンツの配信後の期間の後、前記記憶装置にコンテンツリリースメッセージを送信するよう構成される、請求項１５記載のアクセス装置。
【請求項１８】
レンダリング装置をさらに有するデジタルネットワークにおける記憶装置であって、
前記レンダリング装置から、当該記憶装置がコンテンツを配信している場合に応答を要求するメッセージを受信し、当該記憶装置が前記コンテンツを配信している場合に応答するよう構成されるプロセッサを有する記憶装置。
【請求項１９】
前記プロセッサは、当該記憶装置がまた前記コンテンツを記録している場合には応答しないよう構成される、請求項１８記載の記憶装置。
【請求項２０】
前記ネットワークはさらにアクセス装置を有し、
前記プロセッサは、コンテンツリリースメッセージの受信後まで、前記レンダリング装置からのリクエストメッセージに応答しないよう構成される、請求項１８記載の記憶装置。
【国際調査報告】
2008529432.tif 000015
2008529432.tif 000016
2008529432.tif 000017